(57)【要約】【課題】  放電開始電圧を低く押さえ、誤放電電圧を高く維持することによって、駆動マージンの広い安定した動作を実現することができ、発光効率が向上したプラズマディスプレイパネルを提供する。【解決手段】  前面基板１０に形成された透明電極の第１電極部分１ａ、２ａが、画面行方向Ｈにおいて相互に隣接するセル９の間に形成されている隔壁１５上において、隔壁１５の幅よりも狭い隙間を形成し、第２電極部分１ｂ、２ｂが隔壁１５から離されて形成され、第３電極部１ｃ、２ｃの画面行方向Ｈにおける幅が第２電極部分１ｂ、２ｂの幅よりも細く形成されている。【選択図】  図１
2006032367.tif 000002
【特許請求の範囲】
【請求項１】
前面基板と、
前記前面基板に対向配置された背面基板と、
前記前面基板と前記背面基板との間に封止された、紫外線を発生するガスと、
前記前面基板と前記背面基板との間隙にマトリクス状に配設された複数の放電セルと、を備え、
前記放電セルの各々は、走査電極と、放電ギャップを介して前記走査電極と対向して配置されている共通電極と、からなり、
前記走査電極は、画面行方向に延びる第１の金属電極と、前記第１の金属電極に接続されている第１の透明電極と、からなり、
前記共通電極は、画面行方向に延びる第２の金属電極と、前記第２の金属電極に接続されている第２の透明電極と、からなり、
相互に隣接する前記走査電極の間及び相互に隣接する前記共通電極の間には、それぞれ、画面列方向に延びる隔壁が前記背面基板上に形成されているプラズマディスプレイパネルにおいて、
前記第１及び第２の透明電極の各々は、画面行方向における幅が相互に異なり、かつ、画面列方向に連続して形成されている複数の電極部分からなり、
画面行方向において相互に隣接する前記放電セルにおける前記放電ギャップに接して位置する第１電極部分は前記放電セル間で連結して形成され、
前記放電ギャップに接せず、かつ、前記第１及び第２の金属電極に接していない第２電極部分が前記隔壁から隔置され、
前記第１及び第２の金属電極に接する第３電極部分が前記第２電極部分の画面行方向における幅よりも小さい幅を有していることを特徴とするプラズマディスプレイパネル。
【請求項２】
前記第１及び第２の透明電極の各々は第一乃至第三の電極部分からなり、
前記第一の電極部分が前記第１電極部分を形成し、
前記第二の電極部分が前記第２電極部分を形成し、
前記第三の電極部分が前記第３電極部分を形成するものであることを特徴とする請求項１に記載のプラズマディスプレイパネル。
【請求項３】
前記第１電極部分の画面列方向幅が３０μｍ乃至８０μｍであることを特徴とする請求項１又は２に記載のプラズマディスプレイパネル。
【請求項４】
前記第２電極部分が前記隔壁から１０μｍ乃至５０μｍ離れて形成されていることを特徴とする請求項１乃至３の何れか一項に記載のプラズマディスプレイパネル。
【請求項５】
前記第１電極部分の画面行方向幅が２０μｍ乃至１００μmであることを特徴とする請求項１乃至４の何れか一項に記載のプラズマディスプレイパネル。
【請求項６】
前記第３電極部分の画面列方向幅が２０μｍ乃至１００μｍであることを特徴とする請求項１乃至５の何れか一項に記載のプラズマディスプレイパネル。
【発明の詳細な説明】
【技術分野】
【０００１】
本発明は、情報表示端末や平面型テレビなどに用いられるプラズマディスプレイパネルに関し、特に、プラズマディスプレイパネルの構造に関する。
【背景技術】
【０００２】
ＡＣ形プラズマディスプレイパネルには種々の形式のものがあるが、ＡＣ形プラズマディスプレイパネルの一種である３電極面放電型プラズマディスプレイパネルは、一方の基板である前面基板に走査電極と共通電極とを形成するとともに、他方の基板である背面基板にデータ電極を形成し、データ電極及び走査電極を駆動して、表示すべき単位セルを選択する書き込み放電を行う一方、走査電極及び共通電極を駆動して選択した単位セルの面放電による維持放電を行うように構成されている。
【０００３】
この３電極面放電型プラズマディスプレイパネルにおいては、前面基板における面放電時に発生する高エネルギーのイオンが前面基板の単位セル内の平面上で移動するため、背面基板に形成した蛍光体を衝撃して劣化させることがなく、このため、長寿命化を図ることができ、広く採用されている。
【０００４】
図７は、従来のＡＣ形３電極面放電型プラズマディスプレイパネルの構造を示す斜視図、図８は、図７のＥ−Ｅ矢視断面図、図９は、図７のＦ−Ｆ矢視断面図である。
【０００５】
従来のＡＣ形３電極面放電型プラズマディスプレイパネルにおいては、図７乃至図９に示すように、透明基板からなる前面基板１０に、透明電極１と金属電極３とからなる走査電極５と、透明電極２と金属電極４からなる共通電極６とが放電ギャップ７を間に挟んで形成され、走査電極５及び共通電極６は誘電体層１１ａで覆われ、さらに、誘電体層１１ａは保護層１２で覆われている。
【０００６】
一方、透明基板からなる背面基板１３には、データ電極１４が形成され、このデータ電極１４は誘電体層１１ｂで覆われている。相互に隣接するデータ電極１４の間の位置には誘電体層１１ｂ上に帯状隔壁１５が形成されている。
【０００７】
図８に示すように、誘電体層１１ｂの表面及び帯状隔壁１５の側面には、赤色、緑色及び青色の３原色の発光が得られる蛍光体１６Ｒ、１６Ｇ、１６Ｂが交互に塗布される。前面基板１０と背面基板１３とは、走査電極５及び共通電極６とデータ電極１４とが相互に直交するように対向して一体に組み立てられ、前面基板１０と背面基板１３との間のスペースである放電空間１７内には、放電により紫外線を発生するガスが封入される。
【０００８】
上述のような従来のプラズマディスプレイパネルにおいては、各単位セル９毎に走査電極５、共通電極６及びデータ電極１４の三種類の電極が配置され、各蛍光体１６Ｒ、１６Ｇ、１６Ｂを含む三個の単位セル９により、画面の一画素が構成される。
【０００９】
また、列方向Ｖにおいて相互に隣接する単位セル９の間には、単位セル９相互間の放電干渉を防止するための非放電ギャップ８が設けられている。
【００１０】
さらに、帯状隔壁１５の上面は透明電極１で覆われていないため、発光を伴わない余分な電流を消費することがなく、また、隔壁１５の端部から透明電極１を隔置することによって、荷電粒子の損失を低減し、発光効率の向上が図られている。
【００１１】
上述のプラズマディスプレイパネルを駆動する際には、データ電極１４及び走査電極５をそれぞれデータパルス及び走査パルスにより駆動して書き込み放電を行い、表示すべき単位セル９を選択する一方、走査電極５及び共通電極６を駆動し、選択した単位セル９の面放電による維持放電を行わせるような制御がなされる。
【００１２】
さらに、十分な階調表示を行うために、１フィールド内に８乃至１０個のサブフィールドが設けられており、各サブフィールドは、書き込み放電を行うための走査期間、維持放電を行うための維持期間及び書き込み放電を安定させるためのプライミング期間から構成されている。
【発明の開示】
【発明が解決しようとする課題】
【００１３】
しかしながら、図７に示すような従来のプラズマディスプレイパネルにおいては、放電ギャップ７を間に挟んで対向する透明電極１、２の画面行方向Ｈにおける幅が狭くなり、放電電圧が高くなるという問題があった。
【００１４】
また、前面基板と背面基板の位置合わせが良くない場合、放電ギャップ７を間に挟んで対向する透明電極１、２の幅が表示画面内のセルで異なり、放電電圧の分布が大きく、駆動マージンが狭くなるという問題があった。
【００１５】
これらの問題を解決するため、例えば、特開平１１−２９７２１４号公報は、前面基板と背面基板との位置合わせによる放電特性の影響を考慮し、透明電極の突出部の幅を変えた形状の電極を提案している。しかしながら、透明電極の突出部を細くすると放電領域が減少し、透明電極の突出部を太くすると金属電極３、４の近傍の保護層１２上に余分な電荷が残りやすく、誤放電を引き起こすという問題があった。
【００１６】
また、図７に示した従来のプラズマディスプレイパネルにおいては、書き込み放電の直前において、誤書き込みを防ぐために放電ギャップ７から離れた金属電極３、４の近傍に電荷を多く蓄積し、その電荷を用いて誘電体層１１ａが透明電極１、２上よりも薄い金属電極３、４上で書き込み放電を行っている。
【００１７】
これに対して、特開平１０−２３３１７１号公報及び特開平１１−２９７２１４号公報は、金属電極上の誘電体層を透明電極上の誘電体層より厚く形成するため、金属電極上における放電を利用しない電極構造を提案している。
【００１８】
また、特開２０００−１０６０９０号公報及び特開２０００−２９４１４９号公報は、放電空間に面した部分において透明電極と金属電極とを連結させないことにより、金属電極上まで放電を拡大させず、金属電極上での放電を利用しない電極構造を提案している。
【００１９】
しかしながら、上記４公報が提案する電極構造においては、書き込み放電電圧が高くなるという問題、あるいは、放電ギャップからあまり離れない所に電荷を蓄積すると誤書き込みが起こるという問題があった。
【００２０】
本発明は、前述の問題点を解決するためになされたものであり、放電開始電圧を低く押さえ、誤放電電圧を高くすることにより駆動マージンを広げ、かつ、発光効率を向上させることができるプラズマディスプレイパネルを提供することを目的とする。
【課題を解決するための手段】
【００２１】
本発明は、前面基板と、前記前面基板に対向配置された背面基板と、前記前面基板と前記背面基板との間に封止された、紫外線を発生するガスと、前記前面基板と前記背面基板との間隙にマトリクス状に配設された複数の放電セルと、を備え、前記放電セルの各々は、走査電極と、放電ギャップを介して前記走査電極と対向して配置されている共通電極と、からなり、前記走査電極は、画面行方向に延びる第１の金属電極と、前記第１の金属電極に接続されている第１の透明電極と、からなり、前記共通電極は、画面行方向に延びる第２の金属電極と、前記第２の金属電極に接続されている第２の透明電極と、からなり、相互に隣接する前記走査電極の間及び相互に隣接する前記共通電極の間には、それぞれ、画面列方向に延びる隔壁が前記背面基板上に形成されているプラズマディスプレイパネルにおいて、前記第１及び第２の透明電極の各々は、画面行方向における幅が相互に異なり、かつ、画面列方向に連続して形成されている複数の電極部分からなり、画面行方向において相互に隣接する前記放電セルにおける前記放電ギャップに接して位置する第１電極部分は前記放電セル間で連結して形成され、前記放電ギャップに接せず、かつ、前記第１及び第２の金属電極に接していない第２電極部分が前記隔壁から隔置され、前記第１及び第２の金属電極に接する第３電極部分が前記第２電極部分の画面行方向における幅よりも小さい幅を有していることを特徴とするプラズマディスプレイパネルを提供する。
【００２２】
第１及び第２の透明電極を構成する電極部分の数は３以上の任意の数である。例えば、第１及び第２の透明電極を第一乃至第三の電極部分から構成する場合には、第一の電極部分が前記第１電極部分を形成し、第二の電極部分が前記第２電極部分を形成し、第三の電極部分が前記第３電極部分を形成することとなる。
【００２３】
前記第１電極部分の画面列方向幅が３０μｍ乃至８０μｍであることが好ましい。
【００２４】
前記第２電極部分が前記隔壁から１０μｍ乃至５０μｍ離れて形成されていることが好ましい。
【００２５】
前記第１電極部分の画面行方向幅が２０μｍ乃至１００μmであることが好ましい。
【００２６】
前記第３電極部分の画面列方向幅が２０μｍ乃至１００μｍであることが好ましい。
【発明の効果】
【００２７】
本発明に係るプラズマディスプレイパネルによれば、放電ギャップを間に挟んで対向する透明電極の第１電極部分の画面行方向における幅を広く確保できるため、前面基板と背面基板との間の組立ずれや焼成による基板収縮の差異が生じても、放電開始電圧を低く押さえることができる。
【００２８】
更に、放電開始電圧に大きく影響しない透明電極部分、例えば、隔壁上に位置する透明電極部分を省き（すなわち、第２電極部分及び第３電極部分は隔壁を覆わないように隔壁から隔置して形成し）、かつ、絶対輝度を確保するために第２電極部分の画面行方向における幅を細くしすぎないように作成したため、余分な電流を削減でき、発光効率を向上させることができる。
【００２９】
また、書き込み放電を高くしない範囲内で、第１電極部分の画面行方向における幅を細くしたので、誤放電電圧を高くすることが可能である。
【００３０】
従って、本発明に係るプラズマディスプレイパネルにおいては、放電開始電圧が低く、誤放電電圧が高いため、駆動マージンが広がり、安定した動作を実現することができる。
【００３１】
また、第１電極部分を画面行方向の各単位セル間で繋げることにより、第３電極部分に切れが生じても、第１電極部分を介して隣接する単位セルから電流の供給を受けることができ、各単位セルを安定して動作させることができる。
【発明を実施するための最良の形態】
【００３２】
図１は、本発明の第一の実施形態に係るプラズマディスプレイパネルの構造を示す平面図、図２は、図１のＡ−Ａ矢視断面図、図３は、図１のＢ−Ｂ矢視断面図である。
【００３３】
本実施形態に係るプラズマディスプレイパネルは、前面基板１０と、前面基板１０に対向配置された背面基板１３と、前面基板１０と背面基板１３との間に封止され、紫外線を発生するガス（図示せず）と、前面基板１０と背面基板１３との間隙にマトリクス状に配設された複数の放電セル９と、からなる。
【００３４】
放電セル９の各々は、走査電極５と、放電ギャップ７を介して走査電極５と対向して配置されている共通電極６と、からなっている。
【００３５】
走査電極５は、画面行方向Ｈに延びる第１の金属電極３と、第１の金属電極３に接続されている第１の透明電極１（図３参照）と、からなり、共通電極６は、画面行方向Ｈに延びる第２の金属電極４と、第２の金属電極４に接続されている第２の透明電極２（図３参照）と、からなる。
【００３６】
図１乃至図３に示すように、走査電極５及び共通電極６は、例えば、ソーダライムガラス製の透明基板からなる前面基板１０上に形成されており、画面の行方向Ｈに平行に、かつ、画面の列方向Ｖにおいて交互に又は２つおきに配列される。本実施形態においては、画面の列方向Ｖにおいて、２個の走査電極５と２個の共通電極６とを交互に配列している。相互に対向する２個の走査電極５における第１の金属電極３の間、あるいは、相互に対向する２個の共通電極６における第２の金属電極４の間は非放電ギャップ８により隔てられている。
【００３７】
第１の金属電極３及び第２の金属電極４は、例えば、銅、銀、アルミニウム等の金属からなり、第１の透明電極１及び第２の透明電極２は、例えば、ＩＴＯ（Ｉｎｄｉｕｍ  Ｔｉｎ  Ｏｘｉｄｅ）または酸化錫(ＮＥＳＡ)等の透明材料からなる。
【００３８】
走査電極５及び共通電極６は、亜鉛含有フリットガラス、鉛含有フリットガラス等からなる誘電体層１１ａで覆われており、誘電体層１１ａは、例えば、ＭｇＯ（酸化マグネシウム）からなる保護層１２で覆われている。
【００３９】
相互に隣接する走査電極５の間及び相互に隣接する共通電極６の間には、それぞれ、画面列方向Ｖに延びる複数の隔壁１５が背面基板１３上に形成されている。隔壁１５は、例えば、鉛含有フリットガラス等からなる。
【００４０】
第１の透明電極１は、画面行方向Ｈにおける幅が相互に異なり、かつ、画面列方向Ｖに連続して形成されている第１電極部分１ａ、第２電極部分１ｂ及び第３電極部分１ｃからなる。
【００４１】
第１電極部分１ａは、画面行方向Ｈにおいて相互に隣接する放電セル９における放電ギャップ７に接して位置し、隔壁１５上において、隔壁１５の幅よりも狭い隙間を形成している。本実施形態においては、この隙間は１５μｍの長さを有している。ただし、隙間の長さは１５μｍに限定されるものではなく、１０μｍ乃至３０μｍの範囲内であればよい。
【００４２】
第２電極部分１ｂは、放電ギャップ７には接せることなく、かつ、第１の金属電極３にも接することなく、隔壁１５から２０μｍ隔置されている。
【００４３】
なお、第２電極部分１ｂは、隔壁１５から１０μｍ乃至５０μｍの範囲内で隔置されていればよい。
【００４４】
第３電極部分１ｃは、第１の金属電極３に接しており（図３参照）、さらに、第２電極部分１ｂの画面行方向Ｈにおける幅よりも小さい幅を有している。
【００４５】
第１電極部分１ａ、第２電極部分１ｂ及び第３電極部分１ｃの画面行方向Ｈにおける幅をそれぞれＷ１、Ｗ２、とすると、Ｗ１＞Ｗ２＞Ｗ３である。
【００４６】
第１の透明電極１と同様に、第２の透明電極２は、画面行方向Ｈにおける幅が相互に異なり、かつ、画面列方向Ｖに連続して形成されている第１電極部分２ａ、第２電極部分２ｂ及び第３電極部分２ｃからなる。
【００４７】
第１電極部分２ａは、第１の透明電極１の第１電極部分１ａに対向するとともに、画面行方向Ｈにおいて相互に隣接する放電セル９における放電ギャップ７に接して位置し、隔壁１５上において、隔壁１５の幅よりも狭い隙間を形成している。
【００４８】
第２電極部分２ｂは、放電ギャップ７には接せることなく、かつ、第２の金属電極４にも接することなく、隔壁１５から隔置されている。
【００４９】
第３電極部分２ｃは、第２の金属電極４に接しており（図３参照）、さらに、第２電極部分２ｂの画面行方向Ｈにおける幅よりも小さい幅を有している。
【００５０】
第１電極部分２ａ、第２電極部分２ｂ及び第３電極部分２ｃの画面行方向Ｈにおける幅をそれぞれＳ１、Ｓ２、Ｓ３とすると、Ｓ１＞Ｓ２＞Ｓ３であり、かつ、Ｓ１＝Ｗ１、Ｓ２＝Ｗ２、Ｓ３＝Ｗ３である。
【００５１】
背面基板１３は、前面基板１０と同様に、ソーダライムガラス等の透明基板からなり、背面基板１３上には、銅、銀、アルミニウム等の金属からなるデータ電極１４が、走査電極５及び共通電極６と直交するように、画面の列方向Ｖに平行に配列されている。
【００５２】
データ電極１４は、亜鉛含有フリットガラス、鉛含有フリットガラス等からなる誘電体層１１ｂで覆われている。前述の隔壁１５はデータ電極１４の間において誘電体層１１ｂ上に形成されている。
【００５３】
画面行方向Ｈに配列されている３つの単位セル９が１画素を構成している。図２に示すように、誘電体層１１ｂの表面と隔壁１５の側面には、赤色、緑色、青色の３原色の発光が得られる蛍光体１６Ｒ、１６Ｇ、１６Ｂがそれぞれ交互に塗布されている。各蛍光体１６Ｒ、１６Ｇ、１６Ｂとしては、周知の材料を用いることができ、赤用蛍光体としては、例えば（Ｙ，Ｇａ）ＢＯ3：Ｅｕが、緑用蛍光体としては、例えば、Ｚｎ2ＳｉＯ4：Ｍｎが、青用蛍光体としては、例えば、ＢａＭｇＡｌ14Ｏ23：Ｅｕがそれぞれ用いられる。
【００５４】
前面基板１０と背面基板１３とは、走査電極５及び共通電極６とデータ電極１４とが相互に直交するように、かつ、第２電極部分１ｂ、２ｂの画面行方向Ｈにおける中心点とデータ電極１４の画面行方向Ｈにおける中心点とが重なるように対向して一体に組み立てられ、隣接する二つの隔壁１５の間に形成される放電空間１７内には、放電により紫外線を発生する紫外線発生用ガスが封入される。この紫外線発生用ガスとしては、例えば、ＮｅとＸｅとの混合ガス、ＨｅとＮｅとＸｅとの混合ガス等が用いられる。
【００５５】
上述のような構成を有する本実施形態に係るプラズマディスプレイパネルによれば、放電ギャップ７を間に挟んで相互に対向する第１電極部分１ａ、２ａの画面行方向Ｈにおける幅を従来の透明電極形状に比べて広く確保できるため、前面基板１０と背面基板１３の組立ずれや焼成による基板収縮の差異が生じても、一定の幅を確保することができる。
【００５６】
一般に、放電開始電圧は放電ギャップ７を間に挟んで対向する透明電極１、２の画面行方向Ｈにおける幅が狭いと高く、広いと低くなる傾向があるが、本実施形態に係るプラズマディスプレイパネルによれば、単位セル９の放電開始電圧及び表示面内の放電開始電圧分布を低く押さえることができる。
【００５７】
例えば、対角４２インチＶＧＡクラスにおいては、第１電極部分１ａ及び第２電極部分２ａの画面行方向Ｈにおける幅は３３０μｍ乃至３５０μｍとすることが望ましく、第１電極部分１ａ及び第２電極部分２ａの画面列方向Ｖにおける幅は５０μｍ乃至８０μｍとすることが望ましい。また、例えば、対角３０インチＸＧＡクラスにおいては、第１電極部分１ａ及び第２電極部分２ａの画面行方向Ｈにおける幅は１４０μｍ乃至１５０μｍとすることが望ましく、第１電極部分１ａ及び第２電極部分２ａの画面列方向Ｖにおける幅は３０μｍ乃至５０μｍとすることが望ましい。
【００５８】
本実施形態に係るプラズマディスプレイパネルによれば、放電開始電圧に大きく影響しない透明電極部分、例えば、第２電極部分１ｂ、２ｂ及び第３電極部分１ｃ、２ｃにおいては、隔壁１５上に位置する透明電極部分を省いたため、放電発光にほとんど関与しない電流を削減することができ、発光効率の向上を図ることができる。
【００５９】
ただし、絶対輝度を確保するため、第２電極部分１ｂ、２ｂの画面行方向Ｈにおける幅としては、放電発光に関与する電流を投入できる程度の幅が必要である。例えば、対角４２インチＶＧＡクラスにおける第２電極部分１ｂ、２ｂの画面行方向Ｈにおける幅は２００μｍ乃至２６０μｍとすることが望ましい。また、対角３０インチＸＧＡクラスにおける第２電極部分１ｂ、２ｂの画面行方向Ｈにおける幅は６０μｍ乃至８０μｍとすることが望ましい。
【００６０】
また、本実施形態に係るプラズマディスプレイパネルにおいては、第３電極部分１ｃ、２ｃの画面行方向Ｈにおける幅を細くし、消去しきれない電荷量を削減したので、誤放電電圧を高くすることができる。
【００６１】
ただし、第３電極部分１ｃ、２ｃの画面行方向Ｈにおける幅を細くしすぎると、書き込み放電に必要な電荷が減り、書き込み放電電圧が高くなるため、最適な幅を設定することが必要である。
【００６２】
例えば、対角４２インチＶＧＡクラスにおける第３電極部分１ｃ、２ｃの画面行方向Ｈにおける幅は５０μｍ乃至１００μｍとすることが望ましく、第３電極部分１ｃ、２ｃの画面列方向Ｖにおける幅は３０μｍ乃至１００μｍとすることが望ましい。また、対角３０インチＸＧＡクラスにおける第３電極部分１ｃ、２ｃの画面行方向Ｈにおける幅は２０μｍ乃至５０μｍとすることが望ましく、第３電極部分１ｃ、２ｃの画面列方向Ｖにおける幅は２０μｍ乃至３０μｍとすることが望ましい。これにより、駆動マージンが広がり、安定した動作を実現し、かつ、発光効率の向上を図ることができる。
【００６３】
図４は、本発明の第二の実施形態に係るプラズマディスプレイパネルの構造を示す平面図、図５は、図４のＣ−Ｃ矢視断面図、図６は、図４のＤ−Ｄ矢視断面図である。
【００６４】
本実施形態に係るプラズマディスプレイパネルは、前面基板１０と、前面基板１０に対向配置された背面基板１３と、前面基板１０と背面基板１３との間に封止され、紫外線を発生するガス（図示せず）と、前面基板１０と背面基板１３との間隙にマトリクス状に配設された複数の放電セル９と、からなる。
【００６５】
放電セル９の各々は、走査電極５と、放電ギャップ７を介して走査電極５と対向して配置されている共通電極６と、からなっている。
【００６６】
走査電極５は、画面行方向Ｈに延びる第１の金属電極３と、第１の金属電極３に接続されている第１の透明電極１（図６参照）と、からなり、共通電極６は、画面行方向Ｈに延びる第２の金属電極４と、第２の金属電極４に接続されている第２の透明電極２（図６参照）と、からなる。
【００６７】
図４乃至図６に示すように、走査電極５及び共通電極６は、例えば、ソーダライムガラス製の透明基板からなる前面基板１０上に形成されており、画面の行方向Ｈに平行に、かつ、交互に又は２つおきに配列される。本実施形態においては、画面の列方向Ｖにおいて、２個の走査電極５と２個の共通電極６とを交互に配列している。相互に対向する２個の走査電極５における第１の金属電極３の間、あるいは、相互に対向する２個の共通電極６における第２の金属電極４の間は非放電ギャップ８により隔てられている。
【００６８】
第１の金属電極３及び第２の金属電極４は、例えば、銅、銀、アルミニウム等の金属からなり、第１の透明電極１及び第２の透明電極２は、例えば、ＩＴＯ（Ｉｎｄｉｕｍ  Ｔｉｎ  Ｏｘｉｄｅ）または酸化錫(ＮＥＳＡ)等の透明材料からなる。
【００６９】
走査電極５及び共通電極６は、亜鉛含有フリットガラス、鉛含有フリットガラス等からなる誘電体層１１ａで覆われており、誘電体層１１ａは、例えば、ＭｇＯ（酸化マグネシウム）からなる保護層１２で覆われている。
【００７０】
相互に隣接する走査電極５の間及び相互に隣接する共通電極６の間には、それぞれ、画面列方向Ｖに延びる複数の隔壁１５が背面基板１３上に形成されている。隔壁１５は、例えば、鉛含有フリットガラス等からなる。
【００７１】
第１の透明電極１は、画面行方向Ｈにおける幅が相互に異なり、かつ、画面列方向Ｖに連続して形成されている第１電極部分１ａ、第２電極部分１ｂ及び第３電極部分１ｃからなる。
【００７２】
第１電極部分１ａは、画面行方向Ｈにおいて相互に隣接する放電セル９における放電ギャップ７に接し、かつ、各単位セル９を相互に接続している。すなわち、前述の第一の実施形態においては、第１電極部分１ａは各単位セル９毎に独立に形成されていたが、本実施形態においては、第１電極部分１ａは画面行方向Ｈに延びる一本のラインとして形成されているため、各単位セル９を相互に接続する機能を有している。
【００７３】
第２電極部分１ｂは、放電ギャップ７には接せることなく、かつ、第１の金属電極３にも接することなく、隔壁１５から隔置されている。
【００７４】
第３電極部分１ｃは、第１の金属電極３に接しており（図６参照）、さらに、第２電極部分１ｂの画面行方向Ｈにおける幅よりも小さい幅を有している。
【００７５】
第１電極部分１ａ、第２電極部分１ｂ及び第３電極部分１ｃの画面行方向Ｈにおける幅をそれぞれＷ１、Ｗ２、とすると、Ｗ１＞Ｗ２＞Ｗ３である。
【００７６】
第１の透明電極１と同様に、第２の透明電極２は、画面行方向Ｈにおける幅が相互に異なり、かつ、画面列方向Ｖに連続して形成されている第１電極部分２ａ、第２電極部分２ｂ及び第３電極部分２ｃからなる。
【００７７】
第１電極部分２ａは、画面行方向Ｈにおいて相互に隣接する放電セル９における放電ギャップ７に接し、かつ、各単位セル９を相互に接続している。すなわち、第１電極部分２ａは、透明電極１の第１電極部分１ａと同様に、画面行方向Ｈに延びる一本のラインとして形成されており、各単位セル９を相互に接続する機能を有している。
【００７８】
第２電極部分２ｂは、放電ギャップ７には接せることなく、かつ、第１の金属電極３にも接することなく、隔壁１５から２０μｍ隔置されている。
【００７９】
なお、第２電極部分２ｂは、隔壁１５から１０μｍ乃至５０μｍの範囲内で隔置されていればよい。
【００８０】
第３電極部分２ｃは、第２の金属電極４に接しており（図６参照）、さらに、第２電極部分２ｂの画面行方向Ｈにおける幅よりも小さい幅を有している。
【００８１】
第１電極部分２ａ、第２電極部分２ｂ及び第３電極部分２ｃの画面行方向Ｈにおける幅をそれぞれＳ１、Ｓ２、Ｓ３とすると、Ｓ１＞Ｓ２＞Ｓ３であり、かつ、Ｓ１＝Ｗ１、Ｓ２＝Ｗ２、Ｓ３＝Ｗ３である。
【００８２】
背面基板１３は、前面基板１０と同様に、ソーダライムガラス等の透明基板からなり、背面基板１３上には、銅、銀、アルミニウム等の金属からなるデータ電極１４が、走査電極５及び共通電極６と直交するように、画面の列方向Ｖに平行に配列されている。
【００８３】
データ電極１４は、亜鉛含有フリットガラス、鉛含有フリットガラス等からなる誘電体層１１ｂで覆われている。前述の隔壁１５はデータ電極１４の間において誘電体層１１ｂ上に形成されている。
【００８４】
画面行方向Ｈに配列されている３つの単位セル９が１画素を構成している。図５に示すように、誘電体層１１ｂの表面と隔壁１５の側面には、赤色、緑色、青色の３原色の発光が得られる蛍光体１６Ｒ、１６Ｇ、１６Ｂがそれぞれ交互に塗布されている。各蛍光体１６Ｒ、１６Ｇ、１６Ｂとしては、周知の材料を用いることができ、赤用蛍光体としては、例えば（Ｙ，Ｇａ）ＢＯ3：Ｅｕが、緑用蛍光体としては、例えば、Ｚｎ2ＳｉＯ4：Ｍｎが、青用蛍光体としては、例えば、ＢａＭｇＡｌ14Ｏ23：Ｅｕがそれぞれ用いられる。
【００８５】
前面基板１０と背面基板１３とは、走査電極５及び共通電極６とデータ電極１４とが相互に直交するように、かつ、第２電極部分１ｂ、２ｂの画面行方向Ｈにおける中心点とデータ電極１４の画面行方向Ｈにおける中心点とが重なるように対向して一体に組み立てられ、隣接する二つの隔壁１５の間に形成される放電空間１７内には、放電により紫外線を発生する紫外線発生用ガスが封入される。この紫外線発生用ガスとしては、例えば、ＮｅとＸｅとの混合ガス、ＨｅとＮｅとＸｅとの混合ガス等が用いられる。
【００８６】
上述のような構成を有する本実施形態に係るプラズマディスプレイパネルによれば、放電ギャップ７を間に挟んで相互に対向する第１電極部分１ａ、２ａの画面行方向Ｈにおける幅を従来の透明電極形状に比べて広く確保できるため、前面基板１０と背面基板１３の組立ずれや焼成による基板収縮の差異が生じても、一定の幅を確保することができる。
【００８７】
一般に、放電開始電圧は放電ギャップ７を間に挟んで対向する透明電極１、２の画面行方向Ｈにおける幅が狭いと高く、広いと低くなる傾向があるが、本実施形態に係るプラズマディスプレイパネルによれば、第１の実施形態よりも、単位セル９の放電開始電圧及び表示面内の放電開始電圧分布を低く押さえることができる。
【００８８】
例えば、対角４２インチＶＧＡクラスにおいては、第１電極部分１ａ及び第２電極部分２ａの画面列方向Ｖにおける幅は５０μｍ乃至８０μｍとすることが望ましい。また、例えば、対角３０インチＸＧＡクラスにおいては、第１電極部分１ａ及び第２電極部分２ａの画面列方向Ｖにおける幅は３０μｍ乃至５０μｍとすることが望ましい。
【００８９】
本実施形態に係るプラズマディスプレイパネルによれば、放電開始電圧に大きく影響しない透明電極部分、例えば、第２電極部分１ｂ、２ｂ及び第３電極部分１ｃ、２ｃにおいては、隔壁１５上に位置する透明電極部分を省いたため、放電発光にほとんど関与しない電流を削減することができ、発光効率の向上を図ることができる。
【００９０】
ただし、絶対輝度を確保するため、第２電極部分１ｂ、２ｂの画面行方向Ｈにおける幅としては、放電発光に関与する電流を投入できる程度の幅が必要である。例えば、対角４２インチＶＧＡクラスにおける第２電極部分１ｂ、２ｂの画面行方向Ｈにおける幅は２００μｍ乃至２６０μｍとすることが望ましい。また、対角３０インチＸＧＡクラスにおける第２電極部分１ｂ、２ｂの画面行方向Ｈにおける幅は６０μｍ乃至８０μｍとすることが望ましい。
【００９１】
また、本実施形態に係るプラズマディスプレイパネルにおいては、第３電極部分１ｃ、２ｃの画面行方向Ｈにおける幅を細くし、消去しきれない電荷量を削減したので、誤放電電圧を高くすることができる。
【００９２】
ただし、第３電極部分１ｃ、２ｃの画面行方向Ｈにおける幅を細くしすぎると、書き込み放電に必要な電荷が減り、書き込み放電電圧が高くなるため、最適な幅を設定することが必要である。
【００９３】
例えば、対角４２インチＶＧＡクラスにおける第３電極部分１ｃ、２ｃの画面行方向Ｈにおける幅は５０μｍ乃至１００μｍとすることが望ましく、第３電極部分１ｃ、２ｃの画面列方向Ｖにおける幅は３０μｍ乃至１００μｍとすることが望ましい。また、対角３０インチＸＧＡクラスにおける第３電極部分１ｃ、２ｃの画面行方向Ｈにおける幅は２０μｍ乃至５０μｍとすることが望ましく、第３電極部分１ｃ、２ｃの画面列方向Ｖにおける幅は２０μｍ乃至３０μｍとすることが望ましい。これにより、駆動マージンが広がり、安定した動作を実現し、かつ、発光効率の向上を図ることができる。
【００９４】
さらに、本実施形態に係るプラズマディスプレイパネルにおいては、第１電極部分１ａ、２ａを画面行方向Ｈにおいて各単位セル９間で繋げたため、第３電極部１ｃ、２ｃに切れが生じて、第１金属電極３または第２金属電極４との電気的接続が絶たれたとしても、第１電極部分１ａ、２ａを介して、隣接単位セルから電流を供給でき、各単位セルを安定して動作させることができる。
【００９５】
以上、本発明の実施形態を図面により詳述してきたが、本発明の具体的な構成はこの実施形態に限られるものではなく、本発明の要旨を逸脱しない範囲で設計の変更が可能である。
【００９６】
例えば、走査電極５及び共通電極６の画面列方向Ｖにおける配列は本発明において特に限定されるものではない。第１及び第２の実施形態においては、図１及び図４に示すように、走査電極５、共通電極６、共通電極６、走査電極５、走査電極５…の順に配列されているが、配列順番を、例えば、共通電極６、走査電極５、走査電極５、共通電極６、共通電極６…、あるいは、走査電極５、共通電極６、走査電極５、共通電極６…、あるいは、共通電極６、走査電極５、共通電極６、走査電極５…とすることも可能である。
【００９７】
また、隔壁１５の形状は、本発明において特に限定されるものではなく、本実施形態における帯状形状に代えて、井桁形状とすることもできる。
【００９８】
また、単位セル９の形状と配列は、本発明において特に限定されるものではない。第１及び第２の実施形態のように、画面行方向Ｈにおける３個の単位セル９により長方形形状の１画素を形成することに代えて、例えば、三角形の各頂点に配列された３個の単位セル９により六角形形状の１画素を形成することも可能である。
【図面の簡単な説明】
【００９９】
【図１】本発明の第一の実施形態に係るプラズマディスプレイパネルの平面図である。
【図２】図１のＡ−Ａ矢視断面図である。
【図３】図１のＢ−Ｂ矢視断面図である。
【図４】本発明の第二の実施形態に係るプラズマディスプレイパネルの平面図である。
【図５】図４のＣ−Ｃ矢視断面図である。
【図６】図４のＤ−Ｄ矢視断面図である。
【図７】従来のプラズマディスプレイパネルの斜視図である。
【図８】図７のＥ−Ｅ矢視断面図である。
【図９】図７のＦ−Ｆ矢視断面図である。
【符号の説明】
【０１００】
１、２  透明電極
１ａ、２ａ  第１電極部分
１ｂ、２ｂ  第２電極部分
１ｃ、２ｃ  第３電極部分
３  第１の金属電極
４  第２の金属電極
５  走査電極
６  共通電極
７  放電ギャップ
８  非放電ギャップ
９  単位セル
１０  前面基板
１１ａ、１１ｂ  誘電体層
１２  保護層
１３  背面基板
１４  データ電極
１５  隔壁
１６Ｒ、１６Ｇ、１６Ｂ  蛍光体
１７  放電空間
【図１】
2006032367.tif 000003
【図２】
2006032367.tif 000004
【図３】
2006032367.tif 000005
【図４】
2006032367.tif 000006
【図５】
2006032367.tif 000007
【図６】
2006032367.tif 000008
【図７】
2006032367.tif 000009
【図８】
2006032367.tif 000010
【図９】
2006032367.tif 000011